(57)【特許請求の範囲】
【請求項１】
底部に撹拌翼を配置した洗濯兼脱水槽を内包し、上端を開口した外槽と、前記外槽を内包する上端開口の外枠と、外蓋によって開閉可能に塞がれる外側衣類投入口を中央部に有し、外枠の上端部に取り付けられたトップカバーと、内蓋によって開閉可能に塞がれる内側衣類投入口を中央部に有し、循環風路の吹き込み口部材と糸屑捕集手段が後部に設置され、前記外槽の上端部に取り付けられた外槽上カバーと、前記外槽の下部に設けた吸い出し口から該外槽内の空気を吸い出し、吸い出した空気を前記吹き込み口部材に設けた吹き込み口から前記洗濯兼脱水槽内に吹き込む前記循環風路と、前記循環風路に設けた加熱手段と、制御装置を備え、
前記循環風路は、外槽の下部から洗濯工程における洗濯水位よりも高い位置まで上向きに伸びる除湿風路部と、除湿風路部の上端で折り返して下向きに伸びる下降風路部と、前記下降風路部の下流側に位置して前記吹き込み口部材まで上向き伸びる上昇風路部を備え、前記除湿風路部の風路ダクトの上端部と下降風路部の風路ダクトの上端部の折り返し部は上部折り返し部材によって連結し、上昇風路部の風路ダクトの上端部は、前記吹き込み口部材に連結し、前記上部折り返し部材内に糸屑捕集手段を設置し、前記吹き込み口部材内に加熱手段を設置した洗濯乾燥機において、
前記糸屑捕集手段は、内蓋の上側に引き出し可能に前記上部折り返し部材に設けられた糸屑捕集フィルタを備え、この糸屑捕集フィルタは、前記循環風路の上流側に位置して横向きに開口する偏平な袋状形態の濾過部材を有する第１フィルタと、この第１フィルタに対して下流側に位置して前記第１フィルタの袋状形態の濾過部材が吹き流れて前記下降風路部内に吸い込まれるのを防止するように前記濾過部材を受け止める偏平な網板状形態の第２フィルタを備えたことを特徴とする洗濯乾燥機。
【請求項２】
内側に洗濯兼脱水槽を設置した外槽と、前記外槽の下部に設けた吸い出し口から該外槽内の空気を吸い出し、吸い出した空気を前記洗濯兼脱水槽の上部開口に臨んで設けた吹き込み口から該洗濯兼脱水槽内に吹き込む循環風路と、前記外槽から循環風路に吸い出した循環空気を水冷除湿する水冷除湿手段と、水冷除湿した循環空気を加熱する加熱手段と、制御装置を備え、前記循環風路に設置して循環空気を生成する循環ファンは、前記外槽の下側に位置するように設置し、前記循環風路は、外槽の下部から洗濯工程における洗濯水位よりも高い位置まで上向きに伸びる除湿風路部と、除湿風路部の上端で折り返して前記循環ファンの吸い込み口まで下向きに伸びる下降風路部と、循環ファンの吹き出し口から吹き込み口まで上向き伸びる上昇風路部を備え、前記除湿風路部と下降風路部と上昇風路部の垂直部分を前記外槽と一体的に成形した風路ダクトによって形成し、前記除湿風路部の風路ダクトの上端部と下降風路部の風路ダクトの上端部は、上部折り返し部材によって連結し、上昇風路部の風路ダクトの上端部は、吹き込み口部材に連結し、前記上部折り返し部材内に糸屑捕集手段を設置し、吹き込み部材内に加熱手段を設置した洗濯乾燥機において、
前記糸屑捕集手段は、内蓋の上側に引き出し可能な糸屑捕集フィルタを備え、この糸屑捕集フィルタは、循環風路の上流側に位置する偏平な袋状形態の第１フィルタと、この第１フィルタに対して循環風路の下流側に位置する偏平な網板状形態の第２フィルタを備えたことを特徴とする洗濯乾燥機。
【請求項３】
請求項２において、前記第２フィルタは、第１フィルタの吹き流れを受け止めるように設置することを特徴とする洗濯乾燥機。
【請求項４】
請求項１〜３の１項において、前記制御装置は、前記糸屑捕集フィルタのフィルタ装着状態を検出するフィルタ装着検出スイッチを備え、フィルタ未装着状態を検出したときには警告することを特徴とする洗濯乾燥機。
【請求項５】
請求項４において、前記制御装置は、フィルタ未装着のときには、乾燥運転を停止するようにしたことを特徴とする洗濯乾燥機。
【請求項６】
請求項１〜３の１項において、前記制御装置は、第１温度センサと第２温度センサを前記循環風路における加熱手段の上流側と下流側に設け、第１および第２温度センサの検出温度の差に基づいて前記糸屑捕集フィルタの目詰まり状態を推定し、糸屑捕集フィルタが目詰まりした状態にあるときには警告表示することを特徴とする洗濯乾燥機。
【請求項７】
請求項６において、前記制御装置は、フィルタが目詰まりした状態にあるときには、乾燥運転を停止するようにしたことを特徴とする洗濯乾燥機。
【発明の詳細な説明】
【０００１】
【発明の属する技術分野】
本発明は、洗濯乾燥機に関する。
【０００２】
【従来の技術】
外槽を防振支持装置によって外枠内に吊り下げるように設置し、この外槽内に洗濯兼脱水槽と撹拌翼を設けた洗濯機に、脱水工程後に洗濯兼脱水槽内に空気を循環させて該洗濯兼脱水槽内の洗濯物を乾燥させる手段を付加した洗濯乾燥機が提案されている。
【０００３】
この洗濯乾燥機は、外枠の上部に循環ファンとヒータを設置し、外槽の下部に形成した吸い出し口から吸い出した空気を前記循環ファンに導く風路において水冷除湿し、除湿した空気をヒータで加熱した後に吹き込み口から洗濯兼脱水槽の上部開口に吹き込む循環風路を備え、この循環風路には、糸屑捕集フィルタを備える。
【０００４】
【発明が解決しようとする課題】
この種の洗濯乾燥機は、洗濯兼脱水槽内の空気を循環させる循環風路による大型化を抑制しつつ空気の循環を円滑にして乾燥効率を高めることが必要である。そして、循環風路内には、ヒータに糸屑が付着するのを防止するために糸屑捕集フィルタを備える。循環風路内の空気の循環を良くするためには、前記糸屑捕集フィルタは、通気抵抗が小さいことが必要であり、しかも、循環空気に混じった糸屑を確実に捕集することができることが必要である。
【０００５】
本発明の１つの目的は、通気抵抗が少なく、循環空気に混じった糸屑を確実に捕集することができることができる糸屑捕集手段を備えた洗濯乾燥機を提案することにある。
【０００６】
本発明の他の目的は、糸屑捕集手段を確実に機能させることができる洗濯乾燥機を提案することにある。
【０００７】
【課題を解決するための手段】
本発明は、糸屑捕集手段は、糸屑捕集フィルタを、循環風路の上流側に位置  して横向きに開口する偏平な袋状形態の濾過部材を備えた第１フィルタと、この第１フィルタに対して循環風路の下流側に位置して前記第１のフィルタの濾過部材が吹き流れて下降風路部内に吸い込まれるのを防止するように前記濾過部材を受け止める偏平な網板状形態の第２フィルタの２重構造とし、フィルタ未装着またはフィルタが目詰まりした状態にあることを検出したときには、乾燥運転を停止して警告するように構成した。
【０００８】
【発明の実施の形態】
本発明の実施の形態を図面を参照して説明する。
【０００９】
図１は、本発明の一実施の形態である洗濯乾燥機を縦断面して示す模式図である。
【００１０】
１は、外郭を構成する四角筒状の外枠である。２は、洗濯兼脱水槽であり、その周壁に通水および通風のための小穴２ａを有し、その上縁部に流体バランサー３を備え、底部の内側には回転自在に撹拌翼４を設置する。撹拌翼４は、通水および通風のための小穴４ａを有する。５は、前記洗濯兼脱水槽２を内包する外槽であり、底部の外側には駆動装置６を鋼板製の取り付けベース７によって取り付け、外枠１の上端部の四隅部に係止した４本の防振支持装置８によって外槽５を四方から均等に吊り下げることにより該外枠１の中心部に懸垂するように支持する。
【００１１】
駆動装置６は、駆動電動機と電動操作クラッチ機構と遊星歯車減速機構を内蔵し、洗濯兼脱水槽２を静止させた状態で撹拌翼４を回転させ（撹拌モード）、洗濯兼脱水槽２と撹拌翼４をそれぞれ反対方向に回転させ（選択モード）、洗濯兼脱水槽２と撹拌翼４を一体的に同一方向に回転（脱水・乾燥モード）させるような選択的な駆動機能を有する。
【００１２】
外側衣類投入口９ａを形成したトップカバー９は、外枠１の上部開口を覆うように該開口端縁に嵌め込み、フロントパネル１０およびバックパネル１１と共に取り付けねじによって外枠１に取り付ける。
【００１３】
トップカバー９とフロントパネル１０の間に形成される前部収納部であるフロントパネルボックス１２には、電源スイッチ１３と入力スイッチ群および表示素子群を備えた操作パネル１４と、外槽５内の水位に応じた水位信号を発生する水位センサ１５と、コントロールユニット１６を内蔵する。これらは、後述する各種のセンサと共に制御装置を構成する。
【００１４】
トップカバー９とバックパネル１１の間に形成される後部収納部であるバックパネルボックス１７には、後述する洗濯水給水手段と高濃度洗剤液生成・供給手段を横並びにして内蔵する。
【００１５】
洗濯水給水手段は、入水側を水栓接続口１８に接続し、出水側を注水口１９に接続した主給水電磁弁２０によって構成する。
【００１６】
高濃度洗剤液生成・供給手段は、補助給水電磁弁２２から洗剤溶解容器２１に洗剤溶解水を供給し、この洗剤溶解容器２１内に投入されている粉末合成洗剤を撹拌しながら前記洗剤溶解水で溶解して高濃度洗剤液を生成し、更なる給水により希釈しながら洗剤溶解容器２１から溢水させて前記注水口１９に供給し、洗剤溶解容器２１に付設した仕上剤投入室に給水することによって溢水させて前記注入口１９に供給するように構成する。
【００１７】
注水口１９は、トップカバー９の底と外槽５の外槽上カバー２８の後部を貫通して洗濯兼脱水槽２の上部開口内に向けて開口する。この注水口１９は、トップカバー９の底と外槽上カバー２８の間には可撓管１９ａ（図３参照）を介在させる。
【００１８】
温風循環乾燥手段は、外槽５の下部の側壁に形成した吸い出し口５ａから該外槽５の後側の外壁面に沿って垂直状態で上向きに伸びるように形成して前記吸い出し口５ａから浸入した洗濯水を堰き止める除湿風路部である水冷除湿ダクト２３と、この水冷除湿ダクト２３内の上部に位置して該ダクト内に冷却水を供給する水冷除湿手段である冷却散水部２４と、洗濯工程における外槽５の水位よりも高い位置で折り返して該外槽５の外壁面に沿って該外槽５の下側に向かって垂直に伸びる下降風路部である下降風路ダクト２５と、外槽５の下側の空間に配置されて前記下降風路ダクト２５から吸い込み口に空気を吸い込んで循環空気を生成する循環ファン２６と、この循環ファン２６の吹き出し口から外槽５の外壁面に沿って上方向に垂直状態に伸びる上昇風路部である上昇風路ダクト２７と、外槽５の上端部に取り付けた外槽上カバー２８上に設置されて前記上昇風路ダクト２７から送り込まれる循環空気を加熱する加熱手段であるヒータ（ＰＴＣヒータ）２９を内蔵し、加熱した循環空気を洗濯兼脱水槽２内に向けて吹き込む吹き込み口３０を備える。
【００１９】
循環風路を構成する前記水冷除湿ダクト２３，下降風路ダクト２５および上昇風路ダクト２７は、外槽５の後側の外壁面に該外槽５の周方向に並べてその一部を該外槽５と一体成形して実装し、これらの外側を覆う裏側蓋１ａは、外側に膨出する形状に構成してねじ止めする。
【００２０】
また、下降風路ダクト２５内には湿度センサ４０と第１温度センサ４１を設置し、吹き込み口３０のヒータ２９の下流側の間の風路内には第２温度センサ４２を設置する。水冷除湿ダクト２３内で水冷除湿された循環空気の湿度と温度を精度良く検出するためには、水冷除湿された循環空気が良く混合されて均一になった後に前記湿度センサ４０と第１温度センサ４１に触れさせるのが良く、従って、湿度センサ４０と第１温度センサ４は、水冷除湿ダクト２３から遠く離れた下降風路ダクト２５の下部または循環ファン２６の吸い込み口ケーシング２６ｃに設置する。更に、湿度センサ４０と第１温度センサ４１は、保守作業に便利なように、裏側蓋１ａを外したときに露出するような設置位置とする。
【００２１】
また、ここでは図示説明を省略するが、水冷除湿ダクト２３から下降風路ダクト２５への折り返し部分には、後述する糸屑捕集手段を備える。
【００２２】
トップカバー９に形成した外側衣類投入口９ａは、２つ折り（山折り）に開くようにヒンジ３１ａによってトップカバー９に取り付けた外蓋３１によって開閉自在に覆い、外槽５の上端に取り付けた外槽上カバー２８に形成した内側衣類投入口２８ａは、ヒンジ３２ａによって外槽上カバー２８に取り付けた内蓋３２によって開閉自在に覆うように構成する。
【００２３】
外槽５の底に形成した排水口５ｂは、排水電磁弁３３を介して排水ホース３４に接続する。エアートラップ５ｃは、エアーチューブ３５を介して前記水位センサ１５に接続する。外枠１の下端縁には、四隅に脚３６を取り付けた合成樹脂で成形されたベース３７を装着する。
【００２４】
なお、参照符号３８は、洗濯兼脱水槽２内に投入された洗濯物である。
【００２５】
図２は、この洗濯乾燥機の電気系を示すブロック図である。
【００２６】
電源スイッチ１３を介して受電するコントロールユニット１６は、マイクロコンピュータ１６ａを中心にして構成し、電源回路１６ｂと、駆動装置６と主給水電磁弁２０と補助給水電磁弁２２，２２ａと洗剤撹拌電動機３９と排水電磁弁３３と循環ファン２６とヒータ２９と冷却散水電磁弁２４ａへの給電を制御するための半導体交流スイッチング素子（ＦＬＳ）群を有する駆動回路１６ｃとを備える。
【００２７】
前記駆動装置６の駆動電動機６１は、固定子巻線６１ａと回転センサ６１ｂを有し、電動操作クラッチ機構６２は、電動操作機６２ａと動作位置を検出する位置センサ６２ｃを有する。
【００２８】
そして、前記駆動回路１６ｃは、駆動装置６における前記駆動電動機６１の固定子巻線６１ａへの給電制御に関しては、正逆回転制御用に２つの半導体交流スイッチング素子（ＦＬＳ）１６ｃ1，１６ｃ2を備える。ＦＬＳ１６ｃ1は、正回転給電制御用の半導体スイッチング素子、ＦＬＳ１６ｃ2は逆回転給電制御用の半導体交流スイッチング素子である。この実施の形態において、駆動電動機６１の回転速度制御は、固定子巻線６１ａへの給電をＦＬＳ１６ｃ1，１６ｃ2によって位相制御することによって行うように構成しているが、インバータ駆動のブラシレス電動機を使用する構成においては、ＰＷＭ制御やＰＡＭ制御によって行うように構成する。また、駆動装置６における電動操作クラッチ機構６２の電動操作機６２ａへの給電を制御するためのＦＬＳ１６ｃ3を備える。
【００２９】
また、駆動回路１６ｃは、主給水電磁弁２０，補助給水電磁弁２２，２２ａ，洗剤撹拌電動機３９，排水電磁弁３３，循環ファン２６，ヒータ２９，冷却散水電磁弁２４ａａへの給電を制御するＦＬＳ１６ｃ4〜１６ｃ11を備える。そして、この駆動回路１６ｃは、マイクロコンピュータ１６ａからの指示に従ってＦＬＳ１６ｃ1〜ＦＬＳ１６ｃ11の導通状態を制御して従属する負荷への給電制御を行う。
【００３０】
マイクロコンピュータ１６ａは、更に、前記駆動電動機６１の回転センサ６１ｂ，電動操作クラッチ機構６２の位置センサ６２ｃ，外槽５内の洗濯水位を検出する水位センサ１５，湿度センサ４０，第１，第２温度センサ４１，４２，アンバランス検出センサ４３，フィルタ装着検出センサ４６，操作パネル１４に接続し、予め組み込まれた制御処理プログラムを実行することにより、操作パネル１４の入力スイッチ群１４ａと水位センサ１５と回転センサ６１ｂと位置センサ６２ｃと湿度センサ３９と第１，第２温度センサ４１，４２とアンバランス検出センサ４３とフィルタ装着検出センサ４６からの信号を取り込み、駆動回路１６ｃを制御することによって、検出，高濃度洗剤液生成，洗濯物湿潤，高濃度洗剤液生成・供給（浸沈），洗い，濯ぎ，脱水および温風乾燥の各工程を実行し、操作パネル１４の表示素子群１４ｂを制御することによってその進行状況を表示する。ここで、アンバランス検出センサ４３は、洗濯兼脱水槽２を回転させたときに該洗濯兼脱水槽２内の洗濯物３８の分布のアンバランスによって該洗濯兼脱水槽２（外槽５）が所定値以上に大きく振れるのを検出するセンサである。
【００３１】
因に、表示素子群１４ｂには、図示説明は省略するが、前述した進行状況を表示する進行状況素子と後述する水量や洗剤量を表示する洗剤量表示素子やフィルタの未装着や目詰まりを警告するフィルタ表示素子を設ける。
【００３２】
この洗濯乾燥機は、電源スイッチ１３を投入し、外蓋３１と内蓋３２を開いて洗濯兼脱水槽２内に洗濯物３８を投入し、外蓋３１と内蓋３２を閉じて操作パネル１４の洗濯開始スイッチを投入すると、コントロールユニット１６は、駆動装置６を運転して洗濯兼脱水槽２を静止させた状態で撹拌翼４を回転させることによって布量を検出し、洗濯水量および相応する洗剤量を決定し、これを表示するように操作パネル１４の表示素子群１４ｂを制御する。
【００３３】
そして、外蓋３１を開けて相当する量の粉末合成洗剤および仕上剤が洗剤溶解容器２１に投入され、外蓋３１が閉じられると、補助給水電磁弁２２を開いて前記粉末合成洗剤を溶解するのに好適な量の水道水（洗剤溶解水）を洗剤溶解容器２１に供給し、更に、洗剤撹拌電動機３９を運転して粉末合成洗剤を撹拌しながら溶解して高濃度洗剤液を生成する。
【００３４】
この間、駆動装置６を制御して洗濯兼脱水槽２と撹拌翼４を緩速回転させて洗濯物３８を回転させながら主給水電磁弁２０を開いて給水することによって、水道水を洗濯物３８に満遍なく降りかけて該洗濯物３８を湿潤させる。このときの給水量は、洗濯物３８を均一に湿潤させることができる程度に止めるように制御する。
【００３５】
次に、補助給水電磁弁２２を開いて洗剤溶解容器２１に追加の給水を行うことにより該洗剤溶解容器２１内の高濃度洗剤液を溢水させて注水口１９に供給すると共に主給水電磁弁２０を開いて注水口１９に供給することにより、高濃度洗剤液を所望の洗剤濃度（５〜３０倍の範囲）に希釈して洗濯物３８に降りかけるように制御する。このとき、高濃度洗剤液が洗濯物３８に満遍なく降りかかって該洗濯物３８内に均一に浸沈するように、洗濯兼脱水槽２と撹拌翼４を一体的に緩速回転させ、または洗濯兼脱水槽２を静止させた状態で撹拌翼４を回転させることによって、洗濯物３８を回転または撹拌するように駆動装置６を制御する。
【００３６】
このように粉末合成洗剤を水で溶解して生成し更に希釈した５〜３０倍の濃度の高濃度洗剤液を洗濯物３８に浸沈させると、洗剤成分の化学的な洗浄力が洗濯物３８の汚れに効率良く作用して洗浄力を高める。
【００３７】
高濃度洗剤液を洗濯物３８に浸沈させた後、所定の水位まで洗い水を給水するように主給水電磁弁２０と補助給水電磁弁２２を開弁制御し、その後、洗濯兼脱水槽２と撹拌翼４を反対方向に正，逆回転させて洗濯物３８に機械力を作用させる洗い工程を実行するように駆動装置６を制御する。
【００３８】
洗い工程を終了した後に、洗い水を機外に排水するように排水電磁弁３３を開弁制御し、洗濯兼脱水槽２と撹拌翼４を一体的に高速回転させて洗い水を遠心脱水する中間脱水を行うように駆動装置６を制御する。この中間脱水を終了した後に、排水電磁弁３３を閉弁制御し、所定の濯ぎ水位まで給水するように主給水電磁弁２０を開弁制御し、更に、洗濯兼脱水槽２と撹拌翼４を反対方向に正，逆回転させて洗濯物３８に機械力を作用させる濯ぎ工程を実行するように駆動装置６を制御する。この濯ぎ工程は、必要に応じて、複数回実行し、最後の濯ぎにおける給水時に補助給水電磁弁２２ａを開いて仕上剤を供給する。
【００３９】
濯ぎ工程を終了した後に、濯ぎ水を機外に排水するように排水電磁弁３３を開弁制御し、排水後に、洗濯兼脱水槽２と撹拌翼４を一体的に高速回転させて濯ぎ水を遠心脱水する最終脱水を行うように駆動装置６を制御する。
【００４０】
このように洗濯および遠心脱水した洗濯物３８を洗濯兼脱水槽２内で乾燥させるように、洗濯兼脱水槽２と撹拌翼４を一体的または反対方向に回転させるように駆動装置６を制御し、外槽５および洗濯兼脱水槽３内の湿潤空気を吸い出し口５ａから吸い出して吹き込み口３０から洗濯兼脱水槽２内に吹き込む循環空気を生成するように循環ファン２６を運転制御し、この循環空気を水冷除湿ダクト２３内で水冷するように冷却散水部２４の散水電磁弁２４ａを制御し、洗濯兼脱水槽２に吹き込む空気を加熱するようにヒータ２９を制御する温風乾燥工程を実行する。この温風乾燥工程の制御は、湿度センサ４０，第１温度センサ４１，第２温度センサ４２，フィルタ装着検出センサ４６の検出信号を監視しながら実行し、所望の乾燥度が得られた時点で終了する。
【００４１】
図３〜図１２は、前述した洗濯乾燥機の具体的な構成を示すもので、図３は洗濯乾燥機の縦断側面図、図４は外枠の後側を切り欠いて循環風路部を示す洗濯乾燥機の背面図、図５は洗濯乾燥機の一部を切り欠いて示す下面図、図６は、上カバーを外して外槽と循環風路部を示す洗濯乾燥機の上面図、図７は、外枠と外槽の関係を示す上面図、図８は、外槽上カバーの分解図、図９は、糸屑捕集部を切り欠いて示す上面図、図１０は糸屑捕集部の縦断側面図、図１１は、第１フィルタの上面図および縦断側面図、図１２は、第１フィルタの上面図および縦断側面図である。図１の説明と重複する部分の説明の一部は省略する。
【００４２】
回転駆動装置６は、可逆型の駆動電動機６１と電動操作クラッチ機構６２と太陽歯車減速機構６３と撹拌翼４が結合される中心出力軸６４と洗濯兼脱水槽２が結合される外側出力軸６５を備える。太陽歯車減速機構６３は、駆動電動機６１に直結した太陽歯車と外側出力軸６５に直結した内歯車と遊星歯車を支持して中心出力軸６４に直結するキャリアを備える。そして、電動操作クラッチ機構６２を撹拌モードに制御することによって、太陽歯車減速機構６３の内歯車（外側出力軸６５と洗濯兼脱水槽２に連結）を静止させた状態で駆動電動機６１の回転力を太陽歯車と遊星歯車とキャリアを介して減速して中心出力軸６４に伝達して撹拌翼４を正逆回転させ、電動操作クラッチ機構６２を洗濯モードに制御することによって、太陽歯車減速機構６３の内歯車（外側出力軸６５と洗濯兼脱水槽２に連結）を回転自由状態にして駆動電動機６１の回転力を太陽歯車と遊星歯車とキャリアを介して減速して中心出力軸６４に伝達することにより撹拌翼４を正逆回転させると共に内歯車に作用する反力を外側出力軸６５に伝達して洗濯兼脱水槽２を撹拌翼４と反対の方向に回転させ、電動操作クラッチ機構６２を脱水・乾燥モードに制御することによって、太陽歯車減速機構６３の太陽歯車と内歯車を駆動電動機６１に直結して該駆動電動機６１の回転力を中心出力軸６４と外側出力軸６５を介して洗濯兼脱水槽２と撹拌翼４にに伝達してこれらを一体的に回転させる構成である。
【００４３】
循環風路における水冷除湿ダクト２３の垂直部分は、円筒状の外槽５の最後部位、すなわち、外枠１の裏側蓋１ａに最も近付い部位に位置するように外槽２に沿わせて該外槽２の側壁の吸い出し口５ａの周縁から連続させて該側壁と一体的に成形により形成する。この水冷除湿ダクト２３は、外槽２と後側蓋１ａの間の狭隘な空間に配置するために好適なように、奥行きを狭くし、横幅を広げた長方形の風路断面形状に形成する。このように幅広の略長方形の風路断面形状の水冷除湿ダクト２３は、壁面が広くなるので循環空気冷却壁面が増加することから循環空気の冷却除湿に好適である。
【００４４】
下降風路ダクト２５の垂直部分は、前記水冷除湿ダクト２３の横隣に該水冷除湿ダクト２３と共通の側壁となるように外槽５の側壁に一体成形により形成する。この位置は、外槽５の湾曲によって裏側蓋１ａから離れるので、風路断面形状は、奥行きを広げて幅を狭くした略正方形状に形成することにより、循環風路の横幅の広がりを抑制するように構成する。
【００４５】
上昇風路ダクト２７の垂直部分は、前記水冷除湿ダクト２３の反対側の横隣に該水冷除湿ダクト２３と共通の側壁となるように外槽５の側壁に一体成形により形成する。この位置は、外槽５の湾曲によって裏側蓋１ａから離れるので、風路断面形状は、奥行きを広げて幅を狭くした略正方形状に形成することにより、循環風路の横幅の広がりを抑制するように構成する。
【００４６】
このように外槽５の後側の側壁に沿って該側壁に一体成形した各ダクト２３，２５，２７の外側面は、外枠１の後側の側壁を構成する裏側蓋１ａの膨出部分の内側に所定の間隔で対向するように略直線形状に形成する。そして、この外槽５は、外枠１の上端部の四隅部に結合した補強部材１ｂに係止した４本の防振支持装置８によって外槽５を四方から均等に吊り下げることにより該外枠１の中心部に懸垂するように支持する。
【００４７】
水冷除湿ダクト２３の垂直部分と下降風路ダクト２５の上端部を連通させる上部折り返し部材４４は、外槽５の上端に取り付けた外槽上カバー２８の上面の後部に張り出させ、糸屑捕集手段を構成する糸屑捕集フィルタ４５を内蓋３２の上側から斜めに挿脱可能に収納し、目詰まり解消などの保守作業を容易にする。
【００４８】
この糸屑捕集フィルタ４５は、具体的には、図９〜図１２に示すように、循環風路の上流側に位置する偏平な袋状形態の第１フィルタ４５１と、この第１フィルタに対して循環風路の下流側に位置する偏平な網板状形態の第２フィルタ４５２を備える。第１フィルタ４５１は、袋状濾過部材４５１ａを横向きに開口するように枠体４５１ｂに取り付けて構成し、水冷除湿ダクト２３を吹き上がってくる循環空気を受け入れて横向きに吹き流れる形態の大きな通風面積（濾過面積）を備えたフィルタである。第２フィルタ４５２は、網板状濾過部材４５２ａを枠体４５２ｂに取り付けて構成し、第１フィルタ４５１の下流側である下降風路ダクト２５の上方に位置させて設置することにより、第１フィルタ４５１の吹き流れる袋状濾過部材４５１ａを受け止めて該袋状濾過部材４５１ａが下降風路ダクト２５に吸い込まれるのを防止するようにも機能させる。
【００４９】
第１フィルタ４５１および第２フィルタ４５２の枠体４５１ｂ，４５２ｂは、それぞれ、取っ手４５１ｃ，４５２ｃを突設し、第１フィルタ４５１の枠体４５１ｂには、更に、検出突片４５１ｄを形成する。
【００５０】
このように、第１フィルタ４５１と第２フィルタ４５２を並べて配置した２重構造の糸屑捕集フィルタ４５は、通気抵抗の少ない濾過部材４５１ａ，４５２ａによって糸屑の確実な捕集を可能にする。特に、濾過面積の大きい第１フィルタ４５１を狭い上部折り返し部材４４内に合理的に配置することができる。
【００５１】
フィルタ装着検出センサ４６は、上部折り返し部材４４に装着された第１フィルタ４５１の枠体４５１ｂに突設した検出突片４５１ｄに押されて該第１フィルタ４５１が装着されていることを示す検出信号を発生する。第２フィルタ４５２についても、必要に応じて、同様に、フィルタ装着検出センサを対向させて設けることにより、第２フィルタ４５６２の装着状態を検出するように構成することができる。
【００５２】
循環ファン２６は、遠心羽根車２６ａと該遠心羽根車２６ａを回転させる駆動電動機２６ｂと遠心羽根車２６ａを包囲する吸い込み口ケーシング２６ｃと吹き出し口ケーシング２６ｄを備え、外槽５の底部の下側に取り付けることによって、外枠１内において外槽５の下側に形成される空間に前記駆動装置６と並べてその後側に位置するように配置する。吸い込み口ケーシング２６ｃは、ドレン排出口２６ｅを有し、下降風路ダクト２５の下端部に連結する。吹き出し口ケーシング２６ｄは、上昇風路ダクト２７の下端部に連結する。
【００５３】
また、給水電磁弁２０，２２，２２ａや洗剤溶解容器２１を外枠１の上端部に取り付けられたトップカバー９のバックパネルボックス１７内に設置し、循環風路の吹き込み口３０と糸屑捕集フィルタ４５を外槽５の上端部に取り付けられた外槽上カバー２８上に設置したことによって、外蓋３１を開くことによって前記糸屑捕集フィルタ４５や洗剤投入容器７３を外側衣類投入口９ａ内から操作することができるので、操作し易い洗濯乾燥機とすることができる。
【００５４】
前述した温風乾燥工程の制御において、コントロールユニット１６のマイクロコンピュータ１６ａは、糸屑捕集手段における糸屑捕集フィルタ４５の装着状態をフィルタ装着検出スイッチ４６からの検出信号で確認し、未装着状態のときには、乾燥運転を停止すると共に表示素子群１４ｂのフィルタ表示素子を点滅させて警告表示する。また、第１温度センサ４１と第２温度センサ４２の検出温度の差に基づいてフィルタ４５の目詰まり状態を推定し、フィルタが目詰まりした状態にあるときには、フィルタ表示素子を点灯して警告表示し、必要に応じて、乾燥運転を停止する。
【００５５】
【発明の効果】
本発明は、循環風路の上流側に位置する偏平な袋状形態の第１フィルタと、この第１フィルタに対して循環風路の下流側に位置する偏平な網板状形態の第２フィルタを備えた２重フィルタ構造の糸屑捕集手段としたことにより、通気抵抗が少なく、循環空気中の糸屑を確実に捕集することができることができる。
【００５６】
また、フィルタ未装着またはフィルタが目詰まりした状態にあることを検出したときには、乾燥運転を停止して警告するようにしたので、糸屑捕集手段を確実に機能させることができる。
【図面の簡単な説明】
【図１】本発明になる洗濯乾燥機の一実施の形態を示す模式図である。
【図２】図１に示した洗濯乾燥機の電気系を示すブロック図である。
【図３】本発明になる洗濯乾燥機の具体的な構成を示す縦断側面図である。
【図４】図３に示した洗濯乾燥機の外枠の後側を切り欠いて循環風路部を示す背面図である。
【図５】図３に示した洗濯乾燥機の一部を切り欠いて示す下面図である。
【図６】図３に示した洗濯乾燥機のトップカバーを外して外槽と循環風路部を示す上面図である。
【図７】図３に示した洗濯乾燥機の外枠と外槽の関係を示す上面図である。
【図８】図３に示した洗濯乾燥機の外槽上カバーの分解図である。
【図９】図６に示した糸屑捕集部を切り欠いて示す上面図である。
【図１０】図９に示した糸屑捕集部の縦断側面図である。
【図１１】図１０に示した糸屑捕集部における第１フィルタの上面図および縦断側面図である。
【図１２】図１０に示した糸屑捕集部における第２フィルタの上面図および縦断側面図である。
【符号の説明】
１…外枠、１ａ…裏側蓋、１ｂ…補強部材、２…洗濯兼脱水、４…撹拌翼、５…外槽、５ａ…吸い出し口、６…駆動装置、８…防振支持装置、９…トップカバー、９ａ…外側衣類投入口、１７…バックパネルボックス、１９…注水口、２０…主給水電磁弁、２１…洗剤溶解容器、２２，２２ａ…補助給水電磁弁、２３…水冷除湿ダクト、２４…冷却散水部、２５…下降風路ダクト、２６…循環ファン、２７…上昇風路ダクト、２８…外槽上カバー、２８ａ…内側衣類投入口、２９…ヒータ、３０…吹き込み口、３１…外蓋、３２…内蓋、４０…湿度センサ、４１…第１湿度センサ、４２…第２湿度センサ、４４…上部折り返し部材、４５…糸屑捕集フィルタ、４５１…第１フィルタ、４５２…第２フィルタ、４６…フィルタ装着検出センサ。
【図１】
0003820119.tif 000002
【図２】
0003820119.tif 000003
【図３】
0003820119.tif 000004
【図４】
0003820119.tif 000005
【図５】
0003820119.tif 000006
【図６】
0003820119.tif 000007
【図７】
0003820119.tif 000008
【図８】
0003820119.tif 000009
【図９】
0003820119.tif 000010
【図１０】
0003820119.tif 000011
【図１１】
0003820119.tif 000012
【図１２】
0003820119.tif 000013